(57)【要約】【課題】本体側に設けたフック受け部に付いた米粒を取り除く清掃性をよくする。【解決手段】本体１の内壁を構成する保護枠１２と、保護枠１２内に着脱自在に収納されるフランジを有した内釜と、本体１と前記内釜の上部を覆う外蓋３と、外蓋３を前記本体１に開閉自在に保持するヒンジ部２２と、ヒンジ部２２と反対側の外蓋３に設けられた鉤状部１５ａを有したフックレバー１５と、外蓋３を閉めたときに外蓋３と略接する本体１に設けられた前記フランジを載せる受け部２３ｂを有した上枠２３と、上枠２３に設けられ鉤状部１５ａと係止するフック受け部１７とを備えた炊飯器において、上枠２３とフック受け部１７との間に受け部２３ｂを貫通する通路３３を設け、通路３３の両側の開口部３２は、鉤状部１５ａと係止する側の開口部３２ｂの開口寸法が小さいものである。【選択図】図５
2015000188.tif 000002
【特許請求の範囲】
【請求項１】
本体の内壁を構成する保護枠と、
該保護枠内に着脱自在に収納され、上端にフランジを有した内釜と、
前記本体と前記内釜を覆う外蓋と、
該外蓋を開閉自在に保持するヒンジ部と、
前記外蓋の前記ヒンジ部と反対側の位置に設けられた鉤状部を有したフックレバーと、
前記外蓋を閉めたときに該外蓋と略接する前記本体に設けられた前記フランジを載せる受け部を有した上枠と、
該上枠に設けられ前記鉤状部と係止するフック受け部とを備えた炊飯器において、
前記上枠と前記フック受け部との間に前記受け部を貫通する通路を設け、
該通路の両側の開口部は、前記鉤状部と係止する側の開口部の開口寸法が小さいことを特徴とする炊飯器。
【発明の詳細な説明】
【技術分野】
【０００１】
本発明は外蓋を本体に係止する炊飯器に関するものである。
【背景技術】
【０００２】
炊飯器においては、特許文献１に示すように、本体側に設けたフック受け部と外蓋に設けたフックとで係合して外蓋を閉じるものにおいて、本体側に設けたフック受け部に、ご飯を茶碗に入れる時に飯粒を本体側のフック受け部に落す時がある。そのため、本体側に設けたフック受け部と外蓋に設けたフックに米粒などが付いていないかを、使用者の方に確認してもらい、詰まっている時はようじなどでかき出すように、取扱説明書に安全上のご注意として記載している。
【先行技術文献】
【特許文献】
【０００３】
【特許文献１】特開２００９−３１６号公報
【発明の概要】
【発明が解決しようとする課題】
【０００４】
上記した従来技術において、本体側に設けたフック受け部に付いた米粒を取り除く清掃性を良くするものである。
【課題を解決するための手段】
【０００５】
本発明は上記の課題を解決するためになされたものであり、本体の内壁を構成する保護枠と、該保護枠内に着脱自在に収納され、上端にフランジを有した内釜と、前記本体と前記内釜を覆う外蓋と、該外蓋を開閉自在に保持するヒンジ部と、前記外蓋の前記ヒンジ部と反対側の位置に設けられた鉤状部を有したフックレバーと、前記外蓋を閉めたときに該外蓋と略接する前記本体に設けられた前記フランジを載せる受け部を有した上枠と、該上枠に設けられ前記鉤状部と係止するフック受け部とを備えた炊飯器において、前記上枠と前記フック受け部との間に前記受け部を貫通する通路を設け、該通路の両側の開口部は、前記鉤状部と係止する側の開口部の開口寸法が小さいものである。
【発明の効果】
【０００６】
本発明によれば、本体側に設けたフック受け部に付いた米粒を取り除く清掃性が良くなった。
【図面の簡単な説明】
【０００７】
【図１】本発明に係る炊飯器の本体から外蓋を開き内釜を取り外した状態の本体の斜視図である。
【図２】同蓋の開閉機構部を説明する斜視図である。
【図３】図１の要部Ｐ矢視図である。
【図４】本発明に係る炊飯器のフックレバーがフック受け部より開放された状態の図３のＡ-Ａ断面図である。
【図５】同フックレバーがフック受け部に係止している状態の図３のＡ-Ａ断面図である。
【発明を実施するための形態】
【０００８】
以下、本発明の実施例について上記した図１から図５に従って説明する。
【０００９】
図１と図２において、炊飯器の本体１には、上面が開口し内釜（図示無し）を着脱自在に収納可能とした保護枠１２と、保護枠１２の上面開口部の延長上に前記内釜のフランジを載せ、該フランジを指で持ち内釜を出し易くする為に突出した受け部２３ｂを有し、外蓋３を閉めた時に外蓋３と略合わさる上枠２３によって構成されている。
【００１０】
また上枠２３には、後述するフック受け部１７（図４）を設けたフック受けカバー３０が設けられ、前記フック受け部１７の位置に合わせて受け部２３ｂに開口部３２ａを設けている。
【００１１】
さらに本体１内には、前記内釜を加熱する加熱手段（図示無し）や、該加熱手段を制御する制御手段（図示無し）が設けられている。
【００１２】
外蓋３には、本体１の上方を開閉する蓋で、外蓋３には、開閉時に押下する操作ボタン１０と、操作ボタン１０の押下された動作に連動して動くフックレバー１５が設けられ、外蓋３を閉めたときに略接する上枠２３に設けたフック受け部１７と、外蓋３に設けられたフックレバー１５の鉤状部１５ａと係止して、操作ボタン１０を押下しないと外蓋３が開放しないようになっている。
【００１３】
次に、外蓋３に設けた操作ボタン１０とフックレバー１５の構成と動作について詳細に説明する。
【００１４】
外蓋３には、開閉自在に軸支する回転軸のヒンジ部２２が設けられ、回転軸のヒンジ部２２と対向する側には本体１に設けたフック受け部１７と係止して外蓋３を開かないようにする略コ字状のフックレバー１５がフック軸１６を支点として回転自在に軸支されている。
【００１５】
フックレバー１５は、フック軸１６を挟んで一端に鉤状部１５ａ、他端に押下部１５ｂが設けられ、鉤状部１５ａがフック受け部１７に係止すると押下部１５ｂが押されない限り外蓋３が開かないようになっている。
【００１６】
また、フックレバー１５の押下部１５ｂの略上面に、該操作ボタン１０を囲むように枠体形状（略四角形状）のボタンレバー１４が配置されている。
【００１７】
操作ボタン１０とボタンレバー１４は、フックレバー１５の押下部１５ｂと反対側がボタン軸１０ａによって蓋外面部材３ｂの切欠き部３ｂ−１の縁部に回転自在に軸支され、押下部１５ｂ側は、該押下部１５ｂの上面に位置している。このとき、操作ボタン１０は蓋外面部材カバー３ｃより上面に突出するようにボタン軸１０ａに軸支される。
【００１８】
ボタンレバー１４のボタン軸１０ａと対向しない側の枠体間には、操作ボタン１０の下面に位置し、該下面が載るようにステンレス線等、弾力性のある線材からなる連結バネ１３が設けられている。このとき、連結バネ１３は、両端がボタンレバー１４の枠体に強固に固定されるのではなく、操作ボタン１０の上方からの押し込み力に応じて変形（線材が撓み）し、該変形によって操作ボタン１０の押し込み力を吸収してボタンレバー１４に伝えるように設けられている。
【００１９】
そして、ボタンレバー１４は、操作ボタン１０を上から押し込むと、レバー軸１４ａを中心に回転してフックレバー１５の押下部１５ｂを押し下げ、押し下げられたフックレバー１５はフック軸１６を中心に回転して、フックレバー１５の鉤状部１５ａがとフック受け部１７から外れる。
【００２０】
次に、図３〜図５を用いて本体１のフック受け部１７について説明する。
【００２１】
図３は図１のＰ矢視図を示し、図４と図５はフック受け部１７の説明図で、図３に示す開口部３２（フック受け部１７の有る位置）のＡ−Ａ断面説明図である。そして、図４はフックレバー１５がフック受け部１７より開放された状態を示し、図５はフックレバー１５がフック受け部１７に係止している状態を示す。
【００２２】
上枠２３に設けたフック受け部１７の上部には、保護枠１２の内側に垂れている下垂部３１を設けたフック受けカバー３０で覆い上枠２３に固定され、上枠２３の受け部２３ｂに設けた開口部３２ａを覆うことの無いように、開口部３２ａに合わせて切り欠き部（開口）を設けている。
【００２３】
開口部３２ａは、上枠２３とフック受け部１７との間に設けている通路３３と連通し、開口部３２ａの開口寸法は、例えば幅８ｍｍ、高さ９.２ｍｍである。ご飯粒が十分に通れる寸法になっている。
【００２４】
また、通路３３の開口部３２ａの反対側の開口部３２ｂの開口寸法は、フックレバー１５の鉤状部１５ａとフック受け部１７とが係止する側となり、フック受け部１７はフックレバー１５側の先端が下方に曲げて設けているので開口部３２ａの開口寸法より小さくなっている。
【００２５】
また、開口部３２について、開口部３２ｂより開口部３２ａの方が大きくなるように、開口部間の通路３３も同様に開口部３２ａ側が広がるように、上枠２３に保護枠１２側が低く傾く傾斜部（図示せず）を備えてもよい。
【００２６】
本実施は以上の構成よりなり、次にその動作を説明する。
【００２７】
使用者が内釜に適量の米と水を入れ、前記内釜を保護枠１２に挿入し外蓋３を閉める。外蓋３は回転軸のヒンジ部２２によって回転し本体１の上枠２３と略接する。また、外蓋３の回転に合わせて、フックレバー１５の鉤状部１５ａはフック受けカバー３０に沿ってフック軸１６を支点に回転動作し、上枠２３に達した時（図４）に鉤状部１５ａがフック受け部１７の先端を乗り越え、フック受け部１７に係止（図５）して外蓋３が閉まる。
【００２８】
この状態で外蓋３を開ける場合は、操作ボタン１０を下方向に押し込み操作をすると、操作ボタン１０が下方向に動いた力は、連結バネ１３からボタンレバー１４に伝え、ボタンレバー１４はフックレバー１５の押下部１５ｂを下に押す。これによって、フックレバー１５は、フック軸１６を中心に回転し、フックレバー１５の鉤状部１５ａとフック受け部１７との係止を解除（図４）して外蓋３が開かれる。
【００２９】
そして、上枠２３にご飯粒を落して取り除かないで外蓋３を閉じた場合、外蓋３を閉じると、外蓋３の動きに合わせて、フックレバー１５の鉤状部１５ａはフック受けカバー３０に沿ってフック軸１６を支点に回転動作し、上枠２３に達した時（図４）に鉤状部１５ａがフック受け部１７の先端を乗り越え、フック受け部１７に係止（図５）する時にご飯粒を開口部３２ｂから通路３３に押し込み外蓋３が閉まる。通路３３は開口部３２ｂより広いので押し込まれたご飯粒は通路３３で詰まることは無い。そのため、ようじなどで前記ご飯粒をかき出すのは容易であり、最善の場合は、本体１を傾けるだけで、開口部３２ａ側から容易に取り出すことができる。
【００３０】
また、外蓋３の開閉ごとに、次から次にご飯粒や異物が通路３３に押し込まれた場合、通路３３が前記ご飯粒や異物でいっぱいになった場合は、次に押し込まれたご飯粒によって通路３３の開口部３２ａ側にある古いご飯粒から順次開口部３２ａより保護枠１２側に放出されるので、通路３３がご飯粒や異物で詰まることが無い。
【００３１】
以上本実施例によれば、本体側に設けたフック受け部に付いた米粒を取り除く清掃性が良くなった。
【符号の説明】
【００３２】
１  本体
２  内釜
３  外蓋
１２  保護枠
１５  フックレバー
１５ａ  鉤状部
１７  フック受け部
２２  ヒンジ部
２３  上枠
２３ｂ  受け部
３２  開口部
３２ｂ  開口部
３３  通路
【図１】
2015000188.tif 000003
【図２】
2015000188.tif 000004
【図３】
2015000188.tif 000005
【図４】
2015000188.tif 000006
【図５】
2015000188.tif 000007